(57)【要約】【課題】  本願は、太陽光発電モジュール等の屋根上設置物を屋根上に取り付けるための取付具を提供することを目的とする。【解決手段】  本願は、第一ピースと、第二ピースと、締付具を有する取付具である。第一ピースは、天板部と、天板部より下方に支持脚及び垂下部が形成されている。支持脚は、下端近傍に第一挟持部が形成されている。垂下部は、締付具保持部が形成されている。第二ピースは、断面略Ｃ字状であり、一端に連結部と、他端に第二挟持部が形成され、連結部と第二挟持部の間に長孔が形成されている。連結部によって第一ピースの外側に回動可能に連結されるとともに、第二挟持部が垂下部の下端近傍より第一ピースの内側に挿通されている。締付具は、第一ピースの締付具保持部に保持され、第二ピースの長孔に挿通され、第一ピース及び第二ピースに係合されている。【選択図】  図１
2020051238.tif 000002
【特許請求の範囲】
【請求項１】
第一ピースと、
第二ピースと、
締付具を有する取付具であって、
前記第一ピースは、
天板部と、
該天板部より下方に支持脚及び垂下部が形成されており、
該支持脚は、
下端近傍に第一挟持部が形成されており、
前記垂下部は、
締付具保持部が形成されており、
前記第二ピースは、
断面略Ｃ字状であり、
一端に連結部と、
他端に第二挟持部が形成され、
前記連結部と前記第二挟持部の間に長孔が形成されており、
前記連結部によって第一ピースの外側に回動可能に連結されるとともに、
前記第二挟持部が垂下部の下端近傍より第一ピースの内側に挿通されており、
前記締付具は、
第一ピースの締付具保持部に保持され、
第二ピースの長孔に挿通され、
第一ピース及び第二ピースに係合されており、
前記取付具は、
縦葺き屋根材の突条部の左右に支持脚及び垂下部が配置され、
締付具が締め付けられると、
第一挟持部と第二挟持部とが近接され、
第一挟持部と第二挟持部によって縦葺き屋根材の突条部が挟持される取付具。
【発明の詳細な説明】
【技術分野】
【０００１】
本願は、太陽光発電モジュール等の屋根上設置物を屋根上に取り付けるための取付具を提供することを目的とする。
【背景技術】
【０００２】
従来技術について、図１０及び図１１で説明する。
【０００３】
図１０は、特許第５２１８６４１号公報にて公開されている屋根上の取付金具に関する技術である。この先行技術では、屋根上の取付金具が、左右一対の横向きの第一及び第二の上部板部が上下となって重なり合うと共に、左右一対の第一及び第二の下部板部の相対する第一及び第二の先端が屋根材の左右に配置され相互の開口部が対向するように配置される左右一対の第一及び第二の挟持部材を備えている。さらに、この第一及び第二の上部板部に上下向きの第一及び第二の貫通部を連通可能に形成し、これら第一及び第二の貫通部に直線状軸を貫通すると共に、直線状軸に雌螺子部材を緊諦して第一及び第二の上部板部を固定することで、第一及び第二の先端が屋根材の左右を挟着する屋根上の取付金具である。
【０００４】
図１１は、特開２０１７−４８５０６号公報にて公開されている折板屋根用取付金具に関する技術である。この先行技術では、ハゼ部を左右両側から挟持する左右一対の挟持片を設ける。両挟持片を連結してハゼ部に固定する締付ボルトを設ける。ハゼ部に固定された両挟持片に保持される取付ボルトを設ける。挟持片を合成樹脂材にて被覆する。両挟持片の上面に装着する合成樹脂製のカバー体を設ける。カバー体を介して挟持片上に構造物を取り付ける。
【先行技術文献】
【特許文献】
【０００５】
【特許文献１】特許第５２１８６４１号公報
【特許文献２】特開２０１７−４８５０６号公報
【発明の概要】
【発明が解決しようとする課題】
【０００６】
図１０に示した先行技術では、屋根材の様々な形状に対応するために、その形状にあわせた左右一対の第一及び第二の挟持部材をそれぞれ準備する必要がある。そのようにしないと、取付金具が傾いて取り付けられてしまったり、上下にずれやすくなったり、しっかりと固定された状態にならない。
【０００７】
図１１に示した先行技術では、図１０に示した先行技術同様、屋根材の様々な形状に対応するために、その形状にあわせた左右一対の挟持片をそれぞれ準備する必要がある。そのようにしないと、しっかりと固定された状態にならない。また、折板屋根用取付金具が傾いて取り付けられないように、合成樹脂製のカバー体を用いているので、部材点数が増え、製造コストが高くなっていた。
【課題を解決するための手段】
【０００８】
本願は、第一ピースと、第二ピースと、締付具を有する取付具である。第一ピースは、天板部と、天板部より下方に支持脚及び垂下部が形成されている。支持脚は、下端近傍に第一挟持部が形成されている。垂下部は、締付具保持部が形成されている。第二ピースは、断面略Ｃ字状であり、一端に連結部と、他端に第二挟持部が形成され、連結部と第二挟持部の間に長孔が形成されている。連結部によって第一ピースの外側に回動可能に連結されるとともに、第二挟持部が垂下部の下端近傍より第一ピースの内側に挿通されている。締付具は、第一ピースの締付具保持部に保持され、第二ピースの長孔に挿通され、第一ピース及び第二ピースに係合されている。取付具は、縦葺き屋根材の突条部の左右に支持脚及び垂下部が配置され、締付具が締め付けられると、第一挟持部と第二挟持部とが近接され、第一挟持部と第二挟持部によって縦葺き屋根材の突条部が挟持される。
【発明の効果】
【０００９】
本願は、締付具の締め付け具合によって、屋根材の様々な形状に対応することができる。そのため、取付具が上下にずれにくく、しっかりと固定された状態になる。
【００１０】
また、本願は、図１１に示した先行技術に比べ、少ない部材点数で同様の効果を得ることができる。そのため、製造コストを低く抑えることができる。
【図面の簡単な説明】
【００１１】
【図１】本願の取付具の実施例（実施例１）を示す説明図である。
【図２】本願の取付具の第一ピースの実施例（実施例１）を示す説明図である。
【図３】本願の取付具の第一ピースの実施例（実施例１）を示す説明図である。
【図４】本願の取付具に組み合わされる他部材の実施例（実施例１）を示す説明図である。
【図５】本願の取付具の第二ピースの実施例（実施例１）を示す説明図である。
【図６】本願の取付具の実施例（実施例１）を示す説明図である。
【図７】本願の取付具を縦葺き屋根材に固定した実施例（実施例１）を示す説明図である。
【図８】本願の取付具に屋根上設置物を取り付けた実施例（実施例１）を示す説明図である。
【図９】本願の取付具の実施例（実施例２）を示す説明図である。
【図１０】従来技術の説明図である。
【図１１】従来技術の説明図である。
【実施例】
【００１２】
本願は、第一ピースＴ１と、第二ピースＴ２と、締付具Ｔ３を有する取付具Ｔである。そのほか、上方に向けて立設される取付ボルトＴ４、屋根上設置物Ｐを上部に取り付けるための押え具Ｔ５及びナットＴ６等を用いてもよい。
【００１３】
本願の取付具Ｔは、縦葺き屋根上に、屋根上設置物Ｐを取り付けるのに用いられる。この縦葺き屋根とは、立平葺き、折板といった縦葺き屋根材Ｙが取り付けられた屋根を指す。縦葺き屋根材Ｙは、ハゼ等の突条部Ｙ１が形成されている。本願の取付具Ｔは、この突条部Ｙ１を第一ピースＴ１及び第二ピースＴ２で挟持することによって、固定される構造である。
【００１４】
本願において、屋根上設置物Ｐとは、太陽光発電パネル、太陽熱集熱パネル、看板といったものを指す。このほか、屋根上設置物Ｐは、太陽光発電パネルを取り付けるために用いられる長尺材等も含む。
【００１５】
図２及び図３は、第１ピースの実施例である。図２及び図３は、同じ実施例を異なる向きで示したものである。本実施例の第一ピースＴ１は、天板部Ｔ１１が形成されている。本実施例の天板部Ｔ１１は、上部に屋根上設置物Ｐを載置できるような平面である部分が形成されている。また、本実施例の天板部Ｔ１１の略中央部に取付ボルト挿通孔Ｔ１１ａが形成されており、天板部Ｔ１１の下面側（本実施例の第一ピースＴ１の内側）に取付ボルト保持部Ｔ１１ｂ・Ｔ１１ｂが形成されている。この取付ボルト挿通孔Ｔ１１ａには下面側（本実施例の第一ピースＴ１の内側）から取付ボルトＴ４が挿通され、取付ボルト保持部Ｔ１１ｂ・Ｔ１１ｂに取付ボルトＴ４の頭部Ｔ４１が保持された状態になる構造である。このような構造にすることで、取付ボルトＴ４が落下しないように保持される上、取付ボルトＴ４に押え具Ｔ５が挿通され、ナットＴ６が締め付けられる際に、供回りしない構造になる。
【００１６】
また、本実施例の第一ピースＴ１の天板部Ｔ１１には、上面側（本実施例の第一ピースＴ１の外側）に他部材固定部Ｔ１１ｃ・Ｔ１１ｃを形成させてもよい。この他部材固定部Ｔ１１ｃ・Ｔ１１ｃには、上方に鋭利な突起を有するアース部材や、屋根上設置物Ｐの取付位置決め部材を他部材Ｅとして取り付けることができる。図４に示す実施例では、他部材Ｅは、取付ボルト挿通孔Ｅ１と、上方に鋭利な突起Ｅ２と、屋根上設置物Ｐの取付位置決め部Ｅ３とが形成されている。本実施例では、他部材Ｅの一対の対向する端縁が、第一ピースＴ１の他部材固定部Ｔ１１ｃ・Ｔ１１ｃに組み合わせられている。
【００１７】
他部材固定部Ｔ１１ｃ・Ｔ１１ｃは、図２及び図３のようにスライド溝として形成させておいてもよい。その場合、他部材Ｅは、天板部Ｔ１１上にスライド溝（他部材固定部Ｔ１１ｃ・Ｔ１１ｃ）に沿ってスライドされて組み合わせられる。そのあと、取付ボルトＴ４が他部材Ｅの取付ボルト挿通孔Ｅ１に挿通され、立設されることによって、他部材Ｅを所定の位置にしっかりと固定することができる。
【００１８】
本願の第一ピースＴ１は、天板部Ｔ１１より下方に支持脚Ｔ１２及び垂下部Ｔ１３が形成されている。すなわち、本実施例（実施例１）は、支持脚Ｔ１２及び垂下部Ｔ１３によって、天板部Ｔ１１及びその上に載置される屋根上設置物Ｐが縦葺き屋根上に支持される構造である。
【００１９】
本実施例の支持脚Ｔ１２は、下端近傍（下端でもよい）に第一挟持部Ｔ１２ａが形成されている。この第一挟持部Ｔ１２ａは、第一ピースＴ１内側、斜め上方に延びるように形成されており、その先端が縦葺き屋根材Ｙの突条部Ｙ１に当接されるようになっている。そのほか、本実施例の第一支持脚Ｔ１２の下端には、外側向きの載置片Ｔ１２ｂも形成されており、第一ピースＴ１が安定した状態で縦葺き屋根上に載置されるようになっている。
【００２０】
本実施例の垂下部Ｔ１３は、下端近傍（下端でもよい）に挿通部Ｔ１３ａが形成されている。挿通部Ｔ１３ａは、下端縁近傍の略中央部において、切り欠き、挿通孔といったかたちで開口される。この挿通部Ｔ１３ａは、第二ピースＴ２が回動されたときに、所定の範囲で可動である程度、開口されていればよい。このほか、本実施例の垂下部Ｔ１３の下端には、フランジ状の載置片Ｔ１３ｃが形成されており、第一ピースＴ１が安定した状態で縦葺き屋根材Ｙ上に載置されるようになっている。
【００２１】
図５は、第二ピースＴ２の実施例である。本実施例の第二ピースＴ２は、断面略Ｃ字状であり、一端に連結部Ｔ２１と、他端に第二挟持部Ｔ２２が形成されている。第二ピースＴ２は、この連結部Ｔ２１によって、第一ピースＴ１の外側に形成されている被連結部Ｔ１４に回動可能に連結される。そのとき、第二挟持部Ｔ２２が第一ピースＴ１の内側に挿通部Ｔ１３ａから挿通されている。
【００２２】
本実施例の連結部Ｔ２１は、第一ピースＴ１において、第二支持脚Ｔ１３の天板部Ｔ１１近傍に形成された被連結部Ｔ１４に組み合わされる。図６（ａ）及び（ｂ）に示すように、連結された部分を軸に、第二挟持部Ｔ２２が略円弧を描くように回動する。第二ピースＴ２は、断面略Ｃ字状であるため、第二挟持部Ｔ２２は、縦葺き屋根材Ｙに取り付けられるときに、突条部Ｙ１に対して、斜め下から当接される構造になっている。そのため、締付具Ｔ３が締め付けられると、第二挟持部Ｔ２２の先端が縦葺き屋根材Ｙの突条部Ｙ１に対して下から斜め上方向に強く押し当てられるので、取付具Ｔを上下にずれにくい状態に固定することができる。
【００２３】
本実施例の第二挟持部Ｔ２２は、連結部Ｔ２１から略Ｃ字状に延びるように形成されている。図７に示すように、締付部材の締め具合によって、第一ピースＴ１の挿通部Ｔ１３ａから第二ピースＴ２の第二挟持部Ｔ２２までの距離が異なる状態にできる。すなわち、締付具Ｔ３を締め付ければ締め付けるほど、第二挟持部Ｔ２２が第一ピースＴ１の内側に入り込んだ状態になる構造になっている。そのため、本実施例の取付具Ｔは、図７（ａ）〜（ｄ）に示すような縦葺き屋根材Ｙが様々な突条部Ｙ２形状であっても取り付けることができる。
【００２４】
本実施例の締付具Ｔ３は、ボルトＴ３１及びナットＴ３２である。この締付具Ｔ３は、第一ピースＴ１の締付具保持部Ｔ１３ｄに保持され、第二ピースＴ２の長孔Ｔ２３に挿通され、第一ピースＴ１及び第二ピースＴ２に係合されている。本実施例では、第一ピースＴ１の垂下部Ｔ１３に締付具挿通孔Ｔ１３ｂが形成されており、内側からボルトＴ３１が外側に向けて挿通され、ボルトＴ３１の頭部が締付具保持部Ｔ１３ｄで保持される構造になっている。一方、第二ピースＴ２には、長孔Ｔ２３が形成されている。本実施例の長孔Ｔ２３は、短径がナットＴ３２より小さく設定されている。そのため、第二ピースＴ２の外側からナットＴ３２が締め付けられると、ナットＴ３２の座面によって、第二ピースＴ２が押圧される構造になっている。
【００２５】
本実施例の取付具Ｔは、縦葺き屋根材Ｙの突条部Ｙ１の左右に支持脚Ｔ１２及び垂下部Ｔ１３が配置され、縦葺き屋根材Ｙ上に載置される。そして、締付具Ｔ３が締め付けられると、第一挟持部Ｔ１２ａと第二挟持部Ｔ２２とが近接される。この第一挟持部Ｔ１２ａと第二挟持部Ｔ２２によって縦葺き屋根材Ｙの突条部Ｙ１が挟持されることによって、本実施例の取付具Ｔが、縦葺き屋根材Ｙに固定される。
【００２６】
本実施例は、縦葺き屋根材Ｙに固定された取付具Ｔにおいて、天板部Ｔ１１上の所定の位置に、屋根上設置物Ｐが載置される。このとき、図４に示したような他部材Ｅを用いてもよい。本実施例のような他部材Ｅが用いられることによって、取付位置決め部Ｅ３に屋根上設置物Ｐを当接させるだけで容易に所定の位置になる。また、それと同時に突起Ｅ２・Ｅ２・Ｅ２・Ｅ２が屋根上設置物Ｐ・Ｐに刺さる。屋根上設置物Ｐが太陽光発電パネルである場合、隣り合う太陽光発電パネル同士が載置されるだけで、他部材Ｅによってアース接続された状態になる。
【００２７】
その後、天板部Ｔ１１より立設されている取付ボルトＴ４に、取付ボルト挿通孔Ｔ５１を有する押え具Ｔ５が挿通される。このとき、押え具Ｔ５の底面が屋根上設置物Ｐ上に当接される。その上からナットＴ６が締め付けられることによって、屋根上設置物Ｐが押え具Ｔ５と取付具Ｔの天板部Ｔ１１とで上下に挟まれることによって固定される構造である。
【００２８】
図９は、図１から図８までとは異なる形状の実施例（実施例２）である。本実施例は、垂下部Ｔ１３の外側に、締付具保持部Ｔ１３ｄが形成されている。この締付具保持部Ｔ１３ｄには、ボルトＴ３１の頭部が嵌められ、保持・回り止めされる。このボルトＴ３１にナットＴ３２が締め付けられ、第２ピースＴ２の第二挟持部Ｔ２２が図９（ａ）及び（ｂ）に示すように回動する。このとき、第２ピースＴ２の第二挟持部Ｔ２２は、垂下部Ｔ１３の下端の下より第一ピースＴ１の内側に挿通されている。
【００２９】
本実施例（実施例２）は、第一支持脚Ｔ１２と第二ピースＴ２で、屋根上設置物Ｐを支える構成になっている。本実施例では、第二挟持部Ｔ２２は、連結部Ｔ２１から略Ｃ字状に延びるように形成されている。そのため、支持脚Ｔ１２と、断面略Ｃ字状の第二ピースＴ２で屋根上設置物Ｐを支える構造なので、締付具Ｔ３の締め付け具合、いいかえれば、第二挟持部Ｔ２２の位置の影響が少なく、屋根上設置物Ｐを安定した状態で支えることができる。
【符号の説明】
【００３０】
Ｔ        取付具
Ｔ１      第一ピース
Ｔ１１    天板部
Ｔ１１ａ  取付ボルト挿通孔
Ｔ１１ｂ  取付ボルト保持部
Ｔ１１ｃ  他部材固定部
Ｔ１２    支持脚
Ｔ１２ａ  第一挟持部
Ｔ１２ｂ  載置片
Ｔ１３    垂下部
Ｔ１３ａ  挿通部
Ｔ１３ｂ  締付具挿通孔
Ｔ１３ｃ  載置片
Ｔ１３ｄ  締付具保持部
Ｔ１４    被連結部
Ｔ２      第二ピース
Ｔ２１    連結部
Ｔ２２    第二挟持部
Ｔ２３    長孔
Ｔ３      締付具
Ｔ３１    ボルト
Ｔ３２    ナット
Ｔ４      取付ボルト
Ｔ４１    頭部
Ｔ５      押え具
Ｔ５１    取付ボルト挿通孔
Ｔ６      ナット
Ｐ        屋根上設置物
Ｙ        縦葺き屋根材
Ｙ１      突条部
Ｅ        他部材
Ｅ１      取付ボルト挿通孔
Ｅ２      突起
Ｅ３      取付位置決め部
【図１】
2020051238.tif 000003
【図２】
2020051238.tif 000004
【図３】
2020051238.tif 000005
【図４】
2020051238.tif 000006
【図５】
2020051238.tif 000007
【図６】
2020051238.tif 000008
【図７】
2020051238.tif 000009
【図８】
2020051238.tif 000010
【図９】
2020051238.tif 000011
【図１０】
2020051238.tif 000012
【図１１】
2020051238.tif 000013